(57)【要約】  本開示は、少なくとも第１の動作モード及び第２の動作モードで動作するように構成された電動工具に関する。電動工具は、電動工具が第１の動作モードに設定される場合に加工される対象物を照らすように配置された発光素子から第１の種類の光信号を提示し、電動工具が第２の動作モードに設定される場合に第２の種類の光信号を提示するように動作する。【選択図】図１
2021524811.tif 000002
【特許請求の範囲】
【請求項１】
少なくとも第１の動作モード及び第２の動作モードで動作するように構成された電動工具（１０）であって、
前記電動工具（１０）が前記第１の動作モードに設定されるとき、加工される対象物を照らすように配置された発光素子（２０）から第１の種類の光信号（２１）を提供し、前記電動工具（１０）が前記第２の動作モードに設定されるとき、第２の種類の光信号（２２）を提供するように動作する、
ことを特徴とする電動工具（１０）。
【請求項２】
前記発光素子（２０）は、前記電動工具（１０）のハンドル（１１）の下方部分に配置されている、
請求項１に記載の電動工具（１０）。
【請求項３】
前記第１の種類の光信号（２１）は第１の色であり、前記第２の種類の光信号（２２）は第２の色である、
請求項１又は２に記載の電動工具（１０）。
【請求項４】
前記電動工具（１０）は、脱着可能な工具ピースホルダー（１４）をさらに備え、前記工具ピースホルダー（１４）は、前記第１の種類の光信号（２１）又は前記第２の種類の光信号（２２）に関連する少なくとも第１の種類のマーキング（２３）又は第２の種類のマーキング（２４）を備えている、
請求項１ないし３のいずれか１項に記載の電動工具（１０）。
【請求項５】
前記発光素子（２０）は、前記第１の色及び前記第２の色の両方を放射するように構成されたＬＥＤ（発光ダイオード）である、
請求項１ないし４のいずれか１項に記載の電動工具（１０）。
【請求項６】
前記電動工具（１０）は、コードレスのドリルである、
請求項１ないし５のいずれか１項に記載の電動工具（１０）。
【請求項７】
前記第１の動作モードは第１のＲＰＭであり、前記第２の動作モードは第２のＲＰＭである、
請求項１ないし６のいずれか１項に記載の電動工具（１０）。
【請求項８】
少なくとも第１の動作モード及び第２の動作モードで動作するように構成された電動工具（１０）のための方法であって、
前記電動工具（１０）が前記第１の動作モードに設定される場合に加工される対象物を照らすように配置された発光素子（２０）から第１の種類の光信号（２１）を提供し、前記電動工具（１０）が前記第２の動作モードに設定される場合に第２の種類の光信号（２２）を提供するステップを含む、
ことを特徴とする方法。
【請求項９】
前記発光素子（２０）は、前記電動工具（１０）のハンドル（１１）の下方部分に配置されている、
請求項８に記載の方法。
【請求項１０】
前記第１の種類の光信号（２１）は第１の色であり、前記第２の種類の光信号（２２）は第２の色である、
請求項８又は９に記載の方法。
【請求項１１】
前記電動工具（１０）は、脱着可能な工具ピースホルダー（１４）をさらに備え、前記工具ピースホルダー（１４）は、前記第１の種類の光信号（２１）又は前記第２の種類の光信号（２２）に関連する少なくとも第１の種類のマーキング（２３）又は第２の種類のマーキング（２４）を備えている、
請求項８ないし１０のいずれか１項に記載の方法。
【請求項１２】
前記発光素子（２０）は、前記第１の色及び前記第２の色の両方を放射するように構成されたＬＥＤ（発光ダイオード）である、
請求項８ないし１１のいずれか１項に記載の方法。
【請求項１３】
前記電動工具（１０）は、コードレスのドリルである、
請求項８ないし１２のいずれか１項に記載の方法。
【請求項１４】
前記第１の動作モードは第１のＲＰＭであり、前記第２の動作モードは第２のＲＰＭである、
請求項８ないし１３のいずれか１項に記載の方法。
【請求項１５】
前記電動工具（１０）で実行されると前記電動工具（１０）に請求項８ないし１４のいずれか１項による方法を実行させるコンピュータプラグラム。
【発明の詳細な説明】
【技術分野】
【０００１】
本発明は、電動工具、及び電動工具のための方法に関する。
【背景技術】
【０００２】
従来の電動工具に関する問題点は、オペレータが特定の用途に適した動作モードを誤って選択するミスを犯す場合があることである。従って、オペレータ自身は正しい動作モードを選択したと信じているが、実際には間違った動作モードを使用して作業が行われる。これは、電動工具で加工される対象物又は構造体の機能及び／又は耐久性に対してかなりの悪影響をもたらす可能性がある。
【０００３】
このような問題を避けるために、従来の電動工具システムは、オペレータに指示を与える何らかの表示部を有する場合がある。もしくは、オペレータがどの動作モードを様々な用途に対して使用すべきかを学ぶためにオペレータに研修を行う。しかしながら、これらの方法は、電動工具が正しい動作モードに設定されるのを保証するに十分なほど手堅いものではない。
【発明の概要】
【発明が解決しようとする課題】
【０００４】
従って、上記の問題を解決する又は少なくとも軽減することができる改善された電動工具に対するニーズがある。
【０００５】
本開示の目的は、オペレータが加工される対象物のための正しい動作モードを選択することを保証することができる電動工具を提供することで、加工される対象物の高品質を保証することである。
【課題を解決するための手段】
【０００６】
この目的は、本開示の第１の態様に従って少なくとも第１の動作モード及び第２の動作モードで動作するように構成された電動工具で達成される。電動工具は、電動工具が第１の動作モードに設定される場合に加工される対象物を照らすように配置された発光素子から第１の種類の光信号を提供し、電動工具が第２の動作モードに設定される場合に第２の種類の光信号を提供するように動作する。
【０００７】
従って、加工される対象物は、電動工具が第１の動作モードに設定される場合に第１の種類の光信号によって明るく照らされ、電動工具が第２の動作モードに設定される場合に第２の種類の光信号によって照らされる。電動工具が間違った動作モードに設定されている場合、加工の開始前に動作モードの修正を行うことができる。
【０００８】
第２の態様によれば、本開示は、少なくとも第１の動作モード及び第２の動作モードで動作するように構成された電動工具のための方法に関する。本方法は、電動工具が第１の動作モードに設定される場合に加工される対象物を照らすように配置された発光素子から第１の種類の光信号を提供し、電動工具が第２の動作モードに設定される場合に第２の種類の光信号を提供するステップを含む。
【図面の簡単な説明】
【０００９】
【図１】本発明の例示的な実施形態による電動工具を示す。
【発明を実施するための形態】
【００１０】
図１は、本開示の例示的な実施形態による電動工具１０を示す。電動工具１０は管状ハウジング部１２を備える。また、電動工具１０はハンドル１１を備える。例示的な実施形態において、ハンドル１１は、管状ハウジング部１２に対して実質的に垂直である。他の例示的な実施形態において、ハンドル１１は、管状ハウジング部１２に一直線である。出力キャビティ１３は、管状ハウジング部１２の内部に同軸上に配置される。出力キャビティ１３は、脱着可能な工具ピースホルダー１４を脱着可能に保持するよう構成される。
【００１１】
この例示的な実施形態において、電動工具１０は、コードレスのドリルである。従って、この例示的な実施形態において、電動工具１０は、様々な対象物（図示せず）に穿孔することが意図されている。対象物は、様々な材料で作ることができる。従って、様々な種類の材料に穿孔する際に電動工具１０の正しい動作モードを選択することが重要である。従って、電動工具１０は、少なくとも第１の動作モード及び第２の動作モードで動作するように構成される。さらに、電動工具１０は、加工される対象物を照らすように構成された発光素子２０を備える。この例示的な実施形態において、発光素子２０は、電動工具１０のハンドルの下方部分に配置されている。発光素子２０のこの位置の利点は、オペレータが管状ハウジング部１２をハンドルとしても使用する場合に、発光素子２０が依然として加工される対象物を照らすことができることである。
【００１２】
電動工具１０は、電動工具１０が第１の動作モードに設定される場合に加工される対象物を照らすように構成された発光素子２０から第１の種類の光信号２１を提供し、電動工具１０が第２の動作モードに設定される場合に第２の種類の光信号２２を提供するように作動する。
【００１３】
電動工具１０がどの動作モードに設定されるかに基づいて第１の種類の光信号２１又は第２の種類の光信号２２を提供することで、オペレータは、対象物を見るだけでどの動作モードに電動工具が設定されているかを容易に知ることができる。従って、オペレータは、電動工具１０が正しい動作モードに設定されているか否かを容易に特定することができる。
【００１４】
電動工具１０の１つの例示的な実施形態において、第１の種類の光信号２１は第１の色であり、第２の種類の光信号２２は第２の色である。電動工具１０のさらなる例示的な実施形態において、発光素子２０は、第１の色及び第２の色の両方を放射するように構成されたＬＥＤ（発光ダイオード）である。電動工具１０の他の例示的な実施形態において、第１の動作モードは第１のＲＰＭ（毎分回転数）であり、第２の動作モードは第２のＲＰＭである。
【００１５】
電動工具１０の他の例示的な実施形態において、電動工具１０は、例えば加工される対象物に対して垂直に配置されているなどの電動工具がさらにもう１つの条件を満たす場合に及び／又は電動工具１０が加工される対象物上に正しい軸力を供給する場合に第３の種類の光信号を提示するようにさらに構成される。
【００１６】
本開示の他の実施形態において、電動工具１０は、第１又は第２の種類の光信号２１、２２に関連する少なくとも第１の種類のマーキング２３又は第２の種類のマーキング２４を含む、電動工具１０から脱着可能な工具ピースホルダー１４をさらに備える。
【００１７】
この実施形態の利点は、オペレータが、第１又は第２の種類の光信号２１、２２を第１の種類のマーキング２３又は第２の種類のマーキング２４と比較することで、電動工具１０が正しい動作モードに設定されていることを容易に知ることができることである。電動工具１０の１つの例示的な実施形態において、第１の種類のマーキング２３は、第１の種類の光信号２１に一致する第１の色であり、第２の種類のマーキング２４は、第２の種類の光信号２２に一致する第２の色である。
【００１８】
また、本開示は、少なくとも第１の動作モード及び第２の動作モードで作動するように構成された電動工具１０で行われる方法に関する。本方法において、電動工具１０は、電動工具が第１の動作モードに設定される場合に加工される対象物を照らすように配置された発光素子２０からの第１の種類の光信号２１を提供し、電動工具が第２の動作モードに設定される場合に第２の種類の光信号２２を提供する。
【００１９】
本方法の１つの例示的な実施形態において、発光素子２０は、電動工具１０のハンドル１１の下方部分に配置される。
【００２０】
本方法の他の例示的な実施形態によれば、第１の種類の光信号２１は第１の色であり、第２の種類の光信号２２は第２の色である。本方法のさらに他の例示的な実施形態によれば、電動工具１０は、脱着可能な工具ピースホルダー１４をさらに備え、工具ピースホルダー１４は、第１の種類の光信号２１又は第２の種類の光信号２２に関連する少なくとも第１の種類のマーキング２３又は第２の種類のマーキング２４を備える。本方法の他の例示的な実施形態によれば、第１の色及び第２の色の両方を放射するように構成されたＬＥＤ（発光ダイオード）である。本方法の他の例示的な実施形態によれば、電動工具１０はコードレスのドリルである。本方法のさらに他の例示的な実施形態によれば、第１の動作モードは第１のＲＰＭであり、第２の動作モードは第２のＲＰＭである。
【００２１】
また、本開示は、電動工具１０内で実行されると電動工具１０に上記の方法を実行させるコンピュータプログラムに関する。
１つの例示的な実施形態によれば、上記のコンピュータプログラムコードが電動工具１０のプロセッサ（図示せず）内で実行されると、電動工具１０に上記の方法を実行させる。
【図１】
2021524811.tif 000003
【国際調査報告】
2021524811.tif 000004
2021524811.tif 000005
2021524811.tif 000006